(57)【要約】      （修正有）【課題】補助動力装置の軽量化を図ると共に、単位重量当たりの出力の向上と供給用エネルギ−の容量の増大とを実現する。【解決手段】補助動力装置は、乾電池を動力源とする小形直流電動機と、その出力を増幅する増力機構とから構成して、ハブ胴内に装着する。増幅機構は、小形直流電動機の回転に連動する同回転円筒体の平らな側面円板部分にその中心から放射状に複数本数の流路を設け、同流路内に流動体を流動させることで回転円筒体にコリオリの力を自然発生させる。このトルクは、小形直流電動機から得られる入力トルクよりも大きく、回転円筒体は増強された実用可能な駆動トルクを出力する。回転円筒体は軽量材料からなり、乾電池を動力源とする小形直流電動機と共に軽量化された補助動力装置により所要の補助トルクを得ることができる。【選択図】図１
0003142695.tif 000002
【実用新案登録請求の範囲】
【請求項１】
自転車後輪のハブ軸を中心として回転運動する回転円筒体の平らな側面円板部分に持続可能な駆動トルクを発生し得る駆動トルク発生機構で、乾電池を電源とする直流電動機の回転に連動してハブ軸を中心として回転運動する回転体、この回転体と同軸に配されて正反両方向自在に回転するように連動する従動回転体、この従動回転体と一体に形成される回転円筒体、この回転円筒体の平らな両側面円板部分に回転中心から放射状に対称的に設けられる任意本数の流体または微細重量固体混合流体もしくは微粒子固体からなる流動体の流路、これら両側面円板部分の対称する各流路ごとに回転円筒体の円筒面で連結した閉じた循環流路の形成、回転円筒体側面円板部分に対向する固定円板の自転車ハブ胴内径部への固着、および固定円板に突起したア−ムを設け、回転円筒体の回転に伴い同ア−ムが循環流路内の流動体を流動循環させるポンングア−ムとして作用をするポンプ機構の構成からなり、前記回転体の回転運動のトルクよりも大きなトルクの逆回転運動を回転円筒体で生起し、電池を電源とする直流電動機からの入力トルクが増幅されたトルクとして、回転円筒体から出力されることを特徴とする自転車用増力機構。
【請求項２】
請求項１記載の増力機構において、ポンプ機構は、変形自在な流路と、同流路を力学的に押圧して流路内の流動体に流動を与える固定円板のポンピングア−ムとからなる構成であることを特徴とするポンプ機構。
【請求項３】
請求項１記載の増力機構において、流動体は鉄材からなる微粒子固体で、ポンプ機構は、変形自在な流路と、同流路内の流動体を磁気的に吸引流動させる固定円板のポンピングア−ムとからなる構成であることを特徴とする流動体とポンプ機構。
【考案の詳細な説明】
【技術分野】
【０００１】この考案は、自転車が坂道を登るときや加速するときに遭遇する走行抵抗を克服し、それによって自転車の快適な走行を維持するように、乾電池を動力源とする小形直流電動機とその出力トルクを機械的および流体的手段により増幅する増力機構を組み込む自転車の新規な補助動力機構に関する。
【背景技術】
【０００２】従来の自転車は、変速機により走行抵抗の変化に対応しているが、その変速幅に限界があるので、走行抵抗が大きい場合は駆動力不足で乗り手の疲労を招き、あるいは走行不能で下車を余儀なくされることがある。
【特許文献１】登録実用新案公報：第３１３４８８５号
【特許文献２】登録実用新案公報：第３１１９２７８号
【特許文献３】公開特許公報：特開２００６−１９３１３０
【非特許文献１】自転車産業振興協会編：自転車実用便覧第五版、平成５年８月改訂
【非特許文献２】特許庁編：特許マップシリ−ズ／機械９／自転車技術／平成６年３月
【非特許文献３】渡辺茂著：ごま書房刊：自転車の科学、昭和４９年４月
【考案の開示】
【考案が解決しようとする課題】
【０００３】自転車を駆動するトルクに不足を生じる場合、これを補助する動力装置が提案されているが、重量があるために手押しに困難を伴い、かつ動力の供給時間が限定されると共に、動力消費による定期的交換が必要である。ゆえに、補助動力装置の軽量化と単位重量当たりの出力向上による利便性と性能向上が求められる。
【課題を解決するための手段】
【０００４】この考案は、補助動力装置の重量軽減と駆動トルクの増強を図るために、乾電池を動力源とする小形直流電動機と、その出力トルクを増幅する増力機構とから構成する。増力機構は、小形直流電動機の回転に連動する回転円筒体に設けられた流動体流の放射状流路が回転することでコリオリの力が回転円筒体に生成され、小形直流電動機からの入力よりも大きなトルクを出力する。回転円筒体はプラスチックのような軽量材からなり、増幅トルクを出力する軽量の増力機構を搭載した補助動力装置が得られる。
【考案の効果】
【０００５】この考案によれば、乾電池を電源とする小形の直流電動機の回転に応じて、自動的に発生するコリオリの力を利用する構成なので、従来にみられない簡便で経済的な補助動力装置が得られる特徴がある。
【考案を実施するための最良の形態】
【０００６】考案を実施するための最良の形態を図を参照しながら説明する。この考案は、以下に示す三機能からなる。第一機能は、乾電池を電源とする小型直流電動機９による初動動作、第二機能は、同初動動作により回動する回転体６に係合してこれに従動する従動回転体５１と、同従動回転体５１と一体に形成される回転円筒体５とからなる構成で、回転円筒体５の放射流路１４にコリオリの力を発生させる動作、また第三機能は、回転円筒体５に具備した放射流路１４に、固定円板４に設けたポンピングア−ム４１が作用して、同流路内の流動体に流動を与える放射流路１４と固定円板４とからなるポンプ機能である。増力機構の中枢をなす回転円筒体５に複数の放射流路１４を設ける。一流路に流れる流動体の質量流量をｍ、回転円筒体５の回転速度をωとし、放射流路１４の本数をｎとすれば、回転円筒体５の中心から放射流路１４の任意の距離ｒにおける放射流路上での任意の質量流量ｍに関する角運動量Ｌについて、ｄＬ＝ｄ（ｎｍωｒ２）と表すことができる。ここにｄは微小量を表す記号である。この微小な角運動量ｄＬは、一体に形成される従動回転体５１と共に生起する。すなわち、微視的に見れば、従動回転体５１と回転円筒体５とは、回転体６の微小な角運動により、その向き（順方向）に導かれる毎に、反対の向き（逆方向）に角運動量ｄＬを生起しようとする。小型直流電動機９の回転が続く限り、この微小な逆方向の角運動量は逐次継続して生起しようとする。いま流動体の密度をρとし、放射流路１４の横断面積をＡと置けば、前記の微小な角運動量は、ｄＬ＝ｎ（ρＡ・ｄｒ）ωｒ２と変形できるから、回転円筒体５の回転によってその回転軸心に発生するトルクＴは、次のように表現される。
0003142695.tif 000003
ここに、Ｒは回転円筒体上の放射流路の長さであり、ｔは時間を表す。いま、流動体の流速をＶとおけば、Ｖ＝ｄｒ／ｄｔであるから、次式が導かれる。
0003142695.tif 000004
したがって、小型直流電動機９の回転が続く限り、順方向に回転する回転体６の駆動トルクに比べて、従動回転体５１と回転円筒体５との逆方向に生起しようとする式（１）または式（２）で表されるトルクが大きければ、逆方向のトルクが連続して生起し、従動回転体５１と回転円筒体５とによる逆方向の回転が連続して生起する。このトルクが増力機構に係合する軽車両の車軸に伝動されて、手動で車軸を回転するトルクに重ね合わされる。前記したように、逆方向に生起するトルクが小型直流電動機により順方向に回転される回転体６の駆動トルクよりも大きいので、増幅されたトルクとして軽車両の車軸に伝動される。ここに述べた構成と機能を次の段落の具体例で説明する。
【実施例】
【０００７】この考案の実施例を図により説明する。乾電池（図示せず）を電源とする一もしくは二以上の小形直流電動機９が支承具１３に収納して配置される（図例では四個）。使用する個数は、増力機構で消費する動力を勘案して随意に決められる。各直流電動機９は、それぞれの回転軸に直結する歯車８にかみ合う歯車７に連動するように構成される。歯車７は、固定された軸棒１と同心に配置される。回転体６は軸棒１の軸心に関して対称の形状で、歯車７と同心に一体に形成され、その両端がスラスト軸受１０によって押圧され、かつ軸棒１に関して回転自在に支承される。図示右側のスラスト軸受１０は、軸棒１に固着される固定具１１に隣接して設けられるばね１２からの押圧力により図示左方に力を及ぼし、回転体６が図示左側のスラスト軸受１０を軸棒１に固着される固定具２に押圧する。回転体６の外周はテ−パ面であり、これに内周が同じテ−パ面の従動回転体５１が係合する。従動回転体５１は、回転体６に従属して軸方向の位置が固定される。それに応じて、従動回転体５１と一体に形成される回転円筒体５の軸方向の位置が固定される。回転円筒体５と回転体５１との組合体は、所要の出力トルクを考慮して、一もしくは二以上設けられる（図示の例では二組合体）。固定円板４は、回転円筒体５の平らな側面円板部分に対向して設けられ、ハブ胴１５内径部に固着される（請求項１に対応する）。回転円筒体５の側面円板部分に回転中心から放射状に対称的に任意本数の流路１４が設けられて（図例では八本）、固定円板４に設けられたポンピングア−ム４１が同流路１４を上から押圧する位置に固定円板４が設定されて、流路１４とポンピングア−ム４１とでポンプ機構を構成する（請求項２に対応する）。ここで流動体を鉄材からなる微粒子固体とし、ポンピングア−ム４１を磁石棒材（図示せず）に置き換えて、回転円筒体５の側面円板部分の流路１４上で磁石棒材４１が流動体を磁気的に吸引流動させるポンプ機構を構成することもできる（請求項３に対応する）。図１は、固定円板４の両側にポンプ機構を構成する例である。【０００８】直流電動機９に、定格電圧３ｖで回転数６６００ｒｐｍ、トルク１．５×１０−３Ｎｍの性能をもつ実機を採用すれば、歯車７と８の歯数を等しくしたばあい、回転体６は、６６００ｒｐｍで回転する。同時に回転体６にこの回転が従動回転体５１に伝動される。微視的に見れば、回転体６の微小な回転により従動回転体５１が同じ向きに微小回転しようとし、同時に回転円筒体５に設けられた放射流路１４と固定円板４に設けられたポンピングア−ム４１とにより生起する流動体の放射流路１４内の流動により、一体化の回転円筒体５と従動回転体５１とが回転体６の微小回転の向き（順方向）と反対の向き（逆方向）に微小回転しようとする。回転体６の順方向回転が続く限り、回転円筒体５と従動回転体５１との一体構造の逆方向回転が続いて生起しようとする。このばあい、生成されるトルクは、段落０００６に記載の式（２）を数値計算することで得られる。流路について、実施例の数値をｎ＝８、Ｒ＝３×１０−２（ｍ）、Ａ＝３．１４×１０−６（ｍ２）とし、流路径を２ｍｍとする。回転速度はω（ｒａｄ／ｓ）≒０．１Ｎ（ｒｐｍ）の���係（Ｎは毎分回転数）から、直流電動機９の回転数６６００ｒｐｍに対して６６０ｒｐｍにほぼ等しいことから実用的にω＝６．６×１０２（ｒａｄ／ｓ）とおける。Ｖ（ｍ／ｓ）は流路長Ｒ（ｍ）に流路を通過するポンピングア−ム４１の単位時間当たりの回数（秒当たり回数）を乗じた数値になるから、次式（３）が流速の計算式として得られる。
Ｖ＝Ｒ（ｍ）〔ｎＮ（ｒｐｍ）／６０（ｓ）〕
＝０．０３〔８×６６００／６０〕＝２６．４（ｍ／ｓ）…  …  …  …  …  （３）
これら数値を段落０００６に記載の式（２）に代入して次式（４）が生起する逆方向のトルク計算式として得られる。
Ｔ＝ｎＡωＶＲ２ρ
＝８×（３．１４×１０−６）（６．６×１０２）×２６．４×（３×１０−２）２ρ  ＝３．９４×１０−４  ρ（Ｎｍ）…  …  …  …  …  …  …  …  …  …  （４）
流動体の種類は、ρの値をなるべく大きくするために、  微細石混入水、液体金属、金属微粒子等を流動体に選択する（請求項１に対応する）。次の段落で、流動体の一事例についてトルクを算出し、自転車の補助動力装置としての働き説明する。【０００９】流動体の種類に鉄微粒子を採用すれば、ρ＝７．８×１０３（ｋｇ／ｍ３）であるから、式（４）から式（４１）がトルクとして算出される。
Ｔ＝３．９４×１０−４×７．８×１０３＝３．０７３≒３．０（Ｎｍ）…  …（４１）
つぎに、段落０００８で採用した実機の性能と比較する。既述のように、増力機構への入力である直流電動機の定格トルクは１．５×１０−３＝０．００１５Ｎｍであり、仮に四台を並列使用した場合は四倍の０．００６Ｎｍである。ゆえに、式（４１）と比較すれば、この考案の増力機構からは増幅されたトルクが出力されることが示される。【００１０】自転車が平坦な舗装道路を走行する時の走行抵抗は１０Ｎ程度であり、自転車後輪の半径を３０ｃｍとすれば、乗員のペダル踏込みで所要トルク６ＮＭを楽に出すことができる。いま勾配３°の坂道を登る場合を想定すると、自転車の自重と乗員の体重を合わせた重量を７５ｋｇｆとすれば、これにｓｉｎ３°を乗じた値の３．９ｋｇｆすなわち３８Ｎが走行抵抗として自転車にかかる。ゆえに走行抵抗３８Ｎに後輪の径を乗じた約２３Ｎｍが所要のトルクであり、これからペダル踏込みによる人為トルク６Ｎｍを差し引いたトルクが補助動力装置から供給されねばならない。その値は約１７Ｎｍであり、式（４１）の増力機構を適用した場合、六個の回転円筒体から構成される増力機構を具備する。
【図面の簡単な説明】
【００１１】
【図１】  増力装置を説明する軸棒に沿った縦断面図。
【図２】  固定円板とその一部を形成するポンピングア−ムを説明する正面図。
【図２ａ】  ポンピングア−ムを説明する固定円板の部分断面図。
【図３】  流動体流路の構成を説明する回転円筒体の横断面図。
【図４】  流動体流路の構成を説明する一方の平面側から見た平面図。
【図５】  回転体に同心にはめ合う歯車とこれにかみ合う電動機直結の歯車との配置の関係を説明する歯車配置図。
【符号の説明】
【００１２】  １：軸棒
２：固定具
４：固定円板
４１：ポンピングア−ム
５：回転円筒体
５１：従動回転体
６：回転体
９：小形直流電動機
１４：流路
１５：ハブ胴
【図１】
0003142695.tif 000005
【図２】
0003142695.tif 000006
【図２ａ】
0003142695.tif 000007
【図３】
0003142695.tif 000008
【図４】
0003142695.tif 000009
【図５】
0003142695.tif 000010
【手続補正書】
【提出日】平成19年11月28日(2007.11.28)
【手続補正１】
【補正対象書類名】実用新案登録請求の範囲
【補正対象項目名】請求項１
【補正方法】変更
【補正の内容】
【請求項１】
自転車後輪のハブ軸を中心として回転運動する回転円筒体の平らな側面円板部分に持続可能な駆動トルクを発生し得る駆動トルク発生機構で、乾電池を電源とする直流電動機の回転に連動してハブ軸を中心として回転運動する回転体、この回転体と同軸に配されて正反両方向自在に回転するように連動する従動回転体、この従動回転体と一体に形成される回転円筒体、この回転円筒体の平らな両側面円板部分に回転中心から放射状に対称的に設けられる任意本数の流体または微細重量固体混合流体もしくは微粒子固体からなる流動体の流路、これら両側面円板部分の対称する各流路ごとに回転円筒体の円筒面で連結した閉じた循環流路の形成、回転円筒体側面円板部分に対向する固定円板の自転車ハブ胴内径部への固着、および固定円板に突起したア−ムを設け、回転円筒体の回転に伴い同ア−ムが循環流路内の流動体を流動循環させるポンピングア−ムとして作用をするポンプ機構からなり、前記回転体の回転運動のトルクよりも大きなトルクの逆回転運動を回転円筒体で生起し、電池を電源とする直流電動機からの入力トルクが増幅されたトルクとして、回転円筒体から出力されるトルクをハブ胴に連動させることを特徴とする自動車用増力機構。
【手続補正２】
【補正対象書類名】明細書
【補正対象項目名】０００６
【補正方法】変更
【補正の内容】
【０００６】考案を実施するための最良の形態を図を参照しながら説明する。この考案は、以下に示す三機能からなる。第一機能は、乾電池を電源とする小形直流電動機９による初動動作、第二機能は、同初期動作により回動する回転体６に係合してこれに従動する従動回転体５１と、同従動回転体５１と一体に形成される回転円筒体５とからなる構成で、回転円筒体５の側面円板部分５２に設けられる放射流路１４にコリオリの力を発生させる動作、また第三機能は、回転円筒体５に具備した放射流路１４に、固定円板４に設けたポンピングア−ム４１が作用して、同流路内の流動体に流動を与える放射流路１４と固定円板４とからなるポンプ機能である。増力機構の中枢をなす回転円筒体５の側面円板部分５２に複数の放射流路１４を設ける。前記初期動作により回転円筒体５が回転し、ポンピング作用で放射流路１４に流動体の流動が生じると、放射流路１４にコリオリの力を発生する。一流路に流れる流動体の質量流量をｍ、回転円筒体５の回転速度をωとし、放射流路１４の本数をｎとすれば、回転円筒体５の中心から放射流路１４の任意の距離ｒにおける放射流路上での任意の質量流量ｍに関する角運動量Ｌについて、ｄＬ＝ｄ（ｎｍωｒ２）と表すことができる。ここにｄは、微小量を表す記号である。この微小な角運動量ｄＬは、一体に形成される従動回転体５１と共に生起する。すなわち、微視的に見れば、従動回転体５１と回転円筒体５とは、回転体６の微小な角運動により、その向き（順方向）に導かれる毎に、反対の向き（逆方向）に角運動量ｄＬを生起しようとする。小形直流電動機９の回転が続く限り、この微小な逆方向の角運動量は、逐次継続して生起しようとする。いま流動体の密度をρとし、放射流路１４の横断面積をＡと置けば、前記の微小な角運動量は、ｄＬ＝ｎ（ρＡ・ｄｒ）ωｒ２と変形できるから、回転円筒体５の回転によってその回転軸心に発生するトルクＴは、次のように表現される。
0003142695.tif 000011
ここに、Ｒは回転円筒体上の放射流路の長さであり、ｔは時間を表す。いま、流動体の流速をＶと置けば、Ｖ＝ｄｒ／ｄｔであるから、次式が導かれる。
0003142695.tif 000012
したがって、小形直流電動機９の回転が続く限り、順方向に回転する回転体６の駆動トルクに比べて、従動回転体５１と回転円筒体５との逆方向に生起しようとする式（１）または式（２）で表されるトルクが大きければ、逆方向のトルクが連続して生起し、従動回転体５１と回転円筒体５とによる逆方向の回転が連続して生起する。このトルクが増力機構に係合する自転車後輪のハブ胴１５に伝動され、人力でハブ胴を回転するトルクに重ね合わされる。前記したように、逆方向に生起するトルクが小形直流電動機により順方向に回転される回転体６の駆動トルクよりも大きいので、増幅されたトルクとして自転車のハブ胴１５に伝動される。ここに述べた構成と機能を次の実施例で具体的に説明する。
【手続補正３】
【補正対象書類名】明細書
【補正対象項目名】０００７
【補正方法】変更
【補正の内容】
【０００７】この考案の実施例を図により説明する。乾電池（図示せず）を電源とする一もしくは二以上の小形直流電動機９が支承具１３に収納して配置される（図例では四個）。使用する個数は、増力機構で消費する動力を勘案して随意に決められる。各直流電動機９は、それぞれの回転軸に直結する歯車８にかみ合う歯車７に連動するように構成される。歯車７は、固定された軸棒１と同心に配置される。回転体６は軸棒１の軸心に関して対称の形状で、歯車７と同心に一体に形成され、その両端がスラスト軸受１０によって押圧され、かつ軸棒１に関して回転自在に支承される。図示右側のスラスト軸受１０は、軸棒１に固着される固定具１１に隣接して設けられるばね１２からの押圧力により図示左方に力を及ぼし、回転体６が図示左側のスラスト軸受１０を軸棒１に固着される固定具２に押圧する。回転体６の外周はテ−パ面であり、これに内周が同じテ−パ面の従動回転体５１が係合する。従動回転体５１は、回転体６に従属して軸方向の位置が固定される。それに応じて、従動回転体５１と一体に形成される回転円筒体５の軸方向の位置が固定される。回転円筒体５と回転体５１との組合体は、所要の出力トルクを考慮して、一もしくは二以上設けられる（図示の例では二組合体）。固定円板４は、回転円筒体５の平らな側面円板部分５２に対向して設けられ、ハブ胴１５内径部に固着される（請求項１に対応する）。回転円筒体５の側面円板部分５２に回転中心から放射状に対称的に任意本数の流路１４が設けられて（図例では八本）、固定円板４に設けられたポンピングア−ム４１が同流路１４を上から押圧する位置に固定円板４が設定されて、流路１４とポンピングア−ム４１とでポンプ機構を構成する（請求項２に対応する）。ここで流動体を鉄材からなる微粒子固体とし、ポンピングア−ム４１を磁石棒材（図示せず）に置き換えて、回転円筒体５の側面円板部分５２の流路１４上で磁石棒材４１が流動体を磁気的に吸引流動させるポンプ機構を構成することもできる（請求項３に対応する）。図１は、固定円板４の両側にポンプ機構を構成する例である。ハブ胴１５の回転数を連動する自転車後輪の回転数に等しく構成すれば、自転車の平坦な道路を走行する速度はほぼ５．６ｍ／ｓとみなされるので、後輪の半径を３２ｃｍとした場合、後輪の回転数はおよそ１７０ｒｐｍと算出される。ゆえに、ハブ胴１５の回転数、すなわち固定円板４の回転数としておよそ１７０ｒｐｍが得られる。一方、直流電動機９に定格電圧３ｖ、回転数６６００ｒｐｍの実機を採用すれば、歯車７、８と回転体６とを介して従動回転体５１と一体に作動する回転円筒体５は、回転体６と同方向に回転する時、ハブ胴１５、すなわち固定円板４の回転に対して、同方向の場合は十分に大きな差動的回転数を有する。ゆえに、固定円板４の回転に対して逆方向の回転を含め、前記ポンプ機構の作用で常に、放射流路１４内の流動体の流動が生成され、回転円筒体５の回転でコリオリの力を生成する。
【手続補正４】
【補正対象書類名】明細書
【補正対象項目名】００１２
【補正方法】変更
【補正の内容】
【００１２】１：軸棒（ハブ軸）
２：固定具
４：固定円板
４１：ポンピングア−ム
５：回転円筒体
５１：従動回転体
５２：回転円筒体の側面円板部分
６：回転体
９：小形直流電動機
１４：流路
１５：ハブ胴
【手続補正５】
【補正対象書類名】図面
【補正対象項目名】図４
【補正方法】変更
【補正の内容】
【図４】
0003142695.tif 000013
【手続補正書】
【提出日】平成20年4月15日(2008.4.15)
【手続補正１】
【補正対象書類名】実用新案登録請求の範囲
【補正対象項目名】全文
【補正方法】変更
【補正の内容】
【実用新案登録請求の範囲】
【請求項１】
自転車後輪のハブ軸を中心として回転運動する回転円筒体の平らな側面円板部分に持続可能な駆動トルクを発生し得る駆動トルク発生機構で、乾電池を電源とする直流電動機の回転に連動してハブ軸を中心として回転運動する回転体、この回転体と同軸に配されて正反両方向自在に回転するように連動する従動回転体、この従動回転体と一体に形成される回転円筒体、この回転円筒体の平らな両側面円板部分に回転中心から放射状に対称的に設けられる任意本数の流体または微細重量固体混合流体もしくは微粒子固体からなる流動体の流路、これら両側面円板部分の対称する各流路ごとに回転円筒体の円筒面で連結した閉じた循環流路の形成、回転円筒体側面円板部分に対向する固定円板の自転車ハブ胴内径部への固着、および固定円板に突起したアームを設け、回転円筒体の回転に伴い同アームが循環流路内の流動体を流動循環させるポンピングアームとして作用をするポンプ機構の構成からなり、前記回転体の回転運動のトルクよりも大きなトルクの逆回転運動を回転円筒体で生起し、乾電池を電源とする直流電動機からの入力トルクが増幅されたトルクとして、回転円筒体から出力されるトルクをハブ胴に連動させることを特徴とする自転車の乾電池を利用する増力機構。
【請求項２】
請求項１記載の増力機構において、ポンプ機構は、変形自在な流路と、同流路を力学的に押圧して流路内の流動体に流動を与える固定円板のポンピングアームとからなる構成であることを特徴とする自転車の乾電池を利用する増力機構。
【請求項３】
請求項１記載の増力機構において、流動体は鉄材からなる微粒子固体であり、かつポンプ機構は、変形自在な流路と、同流路内の流動体を磁気的に吸引流動させる固定円板のポンピングアームとからなるポンプ機構を構成することを特徴とする自転車の乾電池を利用する増力機構。